(57)【要約】【課題】除湿或いは加湿の開始及び停止時において、外気の悪影響を受けることがなく、速やかに庫内を所望の安定した湿度にすることができ、大型の保管庫であっても精度良い庫内湿度調節を行うことができる自動湿度調節保管庫を提供する。【解決手段】乾燥剤３３により吸湿または放湿を行う乾湿ユニット３０を少なくとも一つ格納する乾燥剤格納室２１と、前記乾燥剤格納室２１内と収容庫１内とを連通する第１の開口部２１ａ、２１ｂに対し回動することにより開閉自在に設けられた第１のシャッタ２２ａ、２２ｂと、前記乾燥剤格納室２１内と収容庫１外とを連通する第２の開口部２１ｃ、２１ｄに対し回動することにより開閉自在に設けられた第２のシャッタ２２ｃ、２２ｄとを備え、前記第１のシャッタ２２ａ、２２ｂ及び第２のシャッタ２２ｃ、２２ｄは、隔壁され、夫々独立した回動機構を有する。【選択図】図４
2009068807.tif 000002
【特許請求の範囲】
【請求項１】
物品を収容する収容庫を備え、前記収容庫内を所定の湿度に調節する自動湿度調節保管庫において、
乾燥剤により吸湿または放湿を行う乾湿ユニットを少なくとも一つ格納する乾燥剤格納室と、前記乾燥剤格納室と収容庫内とを連通する第１の開口部に対し回動することにより開閉自在に設けられた第１のシャッタと、前記乾燥剤格納室と収容庫外とを連通する第２の開口部に対し回動することにより開閉自在に設けられた第２のシャッタとを備え、
前記第１のシャッタ及び第２のシャッタは、隔壁され、夫々独立した回動機構を有することを特徴とする自動湿度調節保管庫。
【請求項２】
前記第１のシャッタの開閉駆動を行う第１のシャッタ駆動手段と、前記第２のシャッタの開閉駆動を行う第２のシャッタ駆動手段と、前記第１のシャッタ駆動手段及び第２のシャッタ駆動手段を制御する制御手段とを備え、
前記制御手段は、前記第１のシャッタ駆動手段と第２のシャッタ駆動手段とに対する開閉駆動の制御を独立して行うことを特徴とする請求項１に記載された自動湿度調節保管庫。
【請求項３】
前記収容庫の内部と外部に夫々設けられた湿度センサを備え、
前記制御手段は、前記湿度センサの検出結果に基づき、前記第１のシャッタ駆動手段及び第２のシャッタ駆動手段に対する開閉駆動の制御を行うことを特徴とする請求項２に記載された自動湿度調節保管庫。
【発明の詳細な説明】
【技術分野】
【０００１】
本発明は、庫内の湿度を自動的に調節することのできる自動湿度調節保管庫に関する。
【背景技術】
【０００２】
従来、湿度に対しデリケートな物品を保管するものとして、自動的に庫内の湿度を調節する保管庫が用いられている。
そのような保管庫のうち、例えば、特許文献１には、庫内の湿度を下げる場合は乾燥剤により庫内の湿度を吸収（吸湿）し、庫内の湿度を上げる場合は乾燥剤が吸収している水分を庫内で蒸発（放湿）させる保管装置が開示されている。
【０００３】
図１０に、特許文献１に開示の保管装置における自動恒湿装置の縦断側面図を示す。図１０において、直方体の自動恒湿装置２００は、保管庫ケース２１０の内側側面にその一側面が取り付けられている。
自動恒湿装置２００は、外側ケース２０１内に内側ケース２０２が設けられ、さらに内側ケース２０２内には、乾燥剤２０３が設けられている。
また、乾燥剤２０３中には、湿気を帯びた乾燥剤２０３を乾燥させるための加熱手段２０４が設けられ、加熱手段２０４は制御部２０５の制御により加熱の開始と停止がなされる。
【０００４】
また、自動恒湿装置２００が取り付けられている保管庫ケース２１０の側面には、開口２１０ａ、２１０ｂが形成されている。一方、自動恒湿装置２００の外側ケース２０１と内側ケース２０２には、開口２０１ａ、２０２ａが前記開口２１０ａに連通するよう形成され、開口２０１ｂ、２０２ｂが前記開口２１０ｂに連通するよう形成されている。
即ち、乾燥剤２０３は前記開口２０１ａ、２０１ｂ、２０２ａ、２０２ｂ、２１０ａ、２１０ｂを介して庫外に連通可能になされている。
【０００５】
また、自動恒湿装置２００の外側ケース２０１の上下面には、開口２０１ｃ、２０１ｄが夫々形成されている。また内側ケース２０２には、前記開口２０１ｃに連通するよう開口２０２ｃが形成され、前記開口２０１ｄに連通するよう開口２０２ｄが形成されている。
即ち、乾燥剤２０３は前記開口２０１ｃ、２０１ｄ、２０２ｃ、２０２ｄを介して庫内に連通可能になされている。
【０００６】
また、内側ケース２０２内上部には、開口２０２ａと開口２０２ｃのいずれかを閉じることのできる板状のシャッタ２０６が、その一端を回動自在に軸支されて設けられている。
また、内側ケース２０２内下部には、開口２０２ｂと開口２０２ｄのいずれかを閉じることのできるシャッタ２０７が同様に設けられている。
したがって、シャッタ２０６、２０７の開閉動作によって、乾燥剤２０３が庫内或いは庫外に連通可能となされている。
【０００７】
この構成において、庫内を除湿する場合、先ず、シャッタ２０６、２０７が開口２０２ａ、２０２ｂを開いた状態、即ち、乾燥剤２０３が庫外と連通した状態で加熱手段２０４により乾燥剤２０３が加熱され、中の水分が蒸発により庫外に放出される。
次いで、シャッタ２０６、２０７が開口２０２ａ、２０２ｂを閉じることにより、庫内と庫外が遮断され、且つ、乾燥剤２０３と庫内とが連通状態となる。これにより、乾燥剤２０３は庫内の湿気を吸収し、庫内の除湿作業が行われる。
【０００８】
一方、庫内を加湿する場合、先ず、シャッタ２０６、２０７が開口２０２ａ、２０２ｂを開いた状態、即ち、乾燥剤２０３が庫外と連通した状態で、乾燥剤２０３が大気に曝され、決められた条件の中で水分を吸着する。
次いで、シャッタ２０６、２０７が開口２０２ａ、２０２ｂを閉じることにより、庫内と庫外が遮断され、且つ、乾燥剤２０３と庫内とが連通状態となる。そして、加熱手段２０４により乾燥剤２０３が加熱され、乾燥剤２０３の水分が庫内に蒸発することにより、庫内の加湿作業が行われる。
【特許文献１】特開平７−１６３８２９号公報
【発明の開示】
【発明が解決しようとする課題】
【０００９】
ところで、特許文献１に開示される自動恒湿装置２００にあっては、例えば内側ケース２０２内の上部において、相対する２つの開口２０２ａ、２０２ｃのいずれかを板状のシャッタ２０６の開閉動作により開き、乾燥剤２０３を庫内或いは庫外に連通するようにしている。
しかしながら、そのようなシャッタ機構にあっては、乾燥剤２０３の庫内と庫外に対する連通の切り替え時において、必ず、庫内と庫外とが連通する状態（中間状態）が存在する。このため、外気湿度の影響を受けやすい上、さらに湿度に対する応答が遅い乾燥剤の使用により、庫内の湿度調節性能（安定性）が悪くなるという課題があった。
即ち、庫内における乾燥剤の吸湿速度は表面積に比例するが、限られたスペース内に設置される乾燥剤の容量（に応じた表面積）では、所望量の水分を吸湿するまでに時間を要する。このため、例えば前記中間状態により高湿度の外気が庫内に進入し、庫内を除湿する必要が生じた場合、乾燥剤の吸湿力では元の状態に戻るまでに時間を要し、庫内湿度の安定性が悪くなっていた。
【００１０】
また、特許文献１に開示のシャッタ機構にあっては、シャッタ２０６、２０７の駆動手段として形状記憶合金コイル、即ち、ある一定の温度下で塑性変形し、熱を加えると元の形に戻るという性質を有する合金コイルを用いているが、応答速度が遅いため前記中間状態が長くなり、余計に外気湿度の影響を受けやすい構造となっていた。
また、前記シャッタ機構（シャッタ動作）に因る外気の進入（庫内空気の洩れ）に係る課題は、特に超低湿（５％以下の場合）、中湿、高湿の保管庫に対して大型化するほど顕著であるため、大型保管庫における高精度の湿度調整機能の要求に対して、従来は満足できる対応が出来ていなかった。
【００１１】
本発明は、前記したような事情の下になされたものであり、除湿或いは加湿の開始及び停止時において、外気の悪影響を受けることがなく、速やかに庫内を所望の安定した湿度にすることができ、大型の保管庫であっても精度良い庫内湿度調節を行うことができる自動湿度調節保管庫を提供することを目的とする。
【課題を解決するための手段】
【００１２】
前記課題を解決するためになされた、本発明にかかる自動湿度調節保管庫は、物品を収容する収容庫を備え、前記収容庫内を所定の湿度に調節する自動湿度調節保管庫において、乾燥剤により吸湿または放湿を行う乾湿ユニットを少なくとも一つ格納する乾燥剤格納室と、前記乾燥剤格納室と収容庫内とを連通する第１の開口部に対し回動することにより開閉自在に設けられた第１のシャッタと、前記乾燥剤格納室と収容庫外とを連通する第２の開口部に対し回動することにより開閉自在に設けられた第２のシャッタとを備え、前記第１のシャッタ及び第２のシャッタは、隔壁され、夫々独立した回動機構を有することに特徴を有する。
尚、前記第１のシャッタの開閉駆動を行う第１のシャッタ駆動手段と、前記第２のシャッタの開閉駆動を行う第２のシャッタ駆動手段と、前記第１のシャッタ駆動手段及び第２のシャッタ駆動手段を制御する制御手段とを備え、前記制御手段は、前記第１のシャッタ駆動手段と第２のシャッタ駆動手段とに対する開閉駆動の制御を独立して行うことが望ましい。
また、前記収容庫の内部と外部に夫々設けられた湿度センサを備え、前記制御手段は、前記湿度センサの検出結果に基づき、前記第１のシャッタ駆動手段及び第２のシャッタ駆動手段に対する開閉駆動の制御を行うことが望ましい。
【００１３】
このように庫内側のシャッタと庫外側のシャッタの回動機構を独立して設け、特に夫々の開閉駆動制御を独立して行うことにより、例えば、庫外側のシャッタを開状態から閉状態にした後、庫内側のシャッタを閉状態から開状態にすることができる（その逆も可能となる）。
したがって、除湿或いは加湿の開始及び停止時において、シャッタ開閉の動作速度に拘わらず、庫内の空気は外気湿度の影響を受けることがなく、また、湿度に対する応答が悪い乾燥剤を用いても、庫内の湿度を常に所望の湿度に安定させることができ、大型の保管庫であっても精度良い庫内湿度調節を行うことができる。
また、乾燥剤を用いて精度よい安定した庫内湿度調整を行うことができるため、例えばペルチェ素子を通電して除湿するといった方法よりも高性能特性（超低湿）で長寿命となり、且つコストを低減することができる。
【００１４】
また、前記構成によれば、前記第１のシャッタ及び第２のシャッタの回動機構を駆動させる駆動手段として、応答時間が遅い形状記憶合金コイルを用いても、十分に安定した庫内湿度調整を行うことができる。
また、前記駆動手段として、ソレノイド等の動作の速い駆動素子を用いれば、より速いシャッタ開閉動作を行うことができる。
【発明の効果】
【００１５】
本発明によれば、除湿或いは加湿の開始及び停止時において、外気の悪影響を受けることがなく、また、応答の遅い形状記憶合金コイル、及び乾燥剤の特徴を最大限に生かした制御機能によって、速やかに庫内を所望の安定した湿度にすることができ、大型の保管庫であっても精度良い庫内湿度調節を行うことができる自動湿度調節保管庫を得ることができる。
【発明を実施するための最良の形態】
【００１６】
以下、本発明にかかる実施の形態につき、図に基づいて説明する。図１は、本発明に係る自動湿度調節保管庫の正面図、図２はその側面図である。
図１に示すように、この自動湿度調節保管庫１００は、前面が開放された箱状の筐体１と、筐体１に対し一辺が回動自在に軸支され、開放された筐体１の前面を開閉自在とするよう設けられた扉２とを備えている。尚、筐体１（の例えば内側）において、扉２の回動軸とは反対側の側面前部には、扉２の開閉状態を検知するための接触センサ１２が例えば３つ上下方向に沿って設けられている。
【００１７】
物品の収容庫となる筐体１内には、図示するように例えば三段の棚３が設けられ、それら棚上の空間３ａに保管すべき物品を載置出来るように構成されている。
また、筐体１の上部には、内部に所定の空間４を有する天板５が設けられ、前記空間４内には、保管庫１００内の湿度調節を制御するコントローラ６（制御手段）が設けられている。
【００１８】
また、筐体１内には、庫内湿度を検出するため、上部に湿度センサ７、下部に湿度センサ８が設けられ、筐体１外の天板５前面には庫外湿度を検出するため湿度センサ９が設けられている。これら湿度センサ７、８、９は前記コントローラ６に接続されている。
また、天板５前面には前記湿度センサ９の他、庫内湿度を所望値に設定可能な手段を有し、設定湿度及び実際の庫内湿度を表示する設定表示パネル１０が設けられている。
また、図２に示すように、前記空間４内には、下方の庫内空間に向けて送風するためのファンユニット４６が設けられ、このファンユニット４６はファン駆動部４７によって駆動される。
【００１９】
また、筐体１の背面には庫内湿度の調節を行うための湿度操作器１１が設けられている。
続いて、この湿度操作器１１の構造について、図３乃至図５に基づき説明する。図３は湿度操作器１１の縦断正面図（一部破断図）、図４は図３のＡ−Ａ断面矢視図、図５は図３のＢ−Ｂ断面矢視図である。
【００２０】
この湿度操作器１１は図４に示すように筐体１の背面に形成された開口部１ａに対し、例えば庫外側から外側ケース２０を係合させることにより取り付けられている。
湿度操作器１１は、外側ケース２０内に内側ケース２１（乾燥剤格納室）が設けられた構成である。  図４に示すように、外側ケース２０において、庫内側には、上部に開口２０ａが形成され、下部に開口２０ｂが形成されている。一方、庫外側には、上部に２０ｃが形成され、下部に開口２０ｄが形成されている。また、庫内側の開口２０ａ、２０ｂは庫外側の開口２０ｃ、２０ｄと夫々仕切壁２０ｅ、２０ｆにより完全に仕切られている。
【００２１】
また、内側ケース２１において、庫内側には、上部に開口２１ａ（第１の開口部）が形成され、下部に開口２１ｂ（第１の開口部）が形成されている。一方、庫外側には、上部に開口２１ｃ（第２の開口部）が形成され、下部に開口２１ｄ（第２の開口部）が形成されている。これら内側ケース２１に形成されている開口には、板状のシャッタ２２ａ（第１のシャッタ）、２２ｂ（第１のシャッタ）、２２ｃ（第２のシャッタ）、２２ｄ（第２のシャッタ）がその一辺（一端）を軸に回動することにより夫々開閉自在に設けられている。
尚、各シャッタ２２ａ、２２ｂ、２２ｃ、２２ｄは、独立した回動機構を有している。
【００２２】
また、内側ケース２１内には、例えば４つの乾湿ユニット３０ａ、３０ｂ、３０ｃ、３０ｄが夫々壁面２１ｅ、２１ｆとの間に夫々スペーサ３１を介して設けられている。各乾湿ユニット３０ａ、３０ｂ、３０ｃ、３０ｄは、スリット（図示せず）が全面に形成されたケース３２内に粒状の乾燥剤３３が充填されたものである。
【００２３】
また、各乾湿ユニットのケース３２内には、水分を吸収した乾燥剤３３を乾燥させ、庫内又は庫外に放湿させるためのヒータ３４が設けられ、これらのヒータ３４はヒータ駆動部３５によって発熱駆動がなされる。
尚、例えば庫内の湿度が低下した場合、下降湿度分の加湿を行うようヒータ３４は乾燥剤３３を加熱し、庫内への放湿時間の制御がなされる。そのような制御を行うためには、ヒータ３４の駆動方式は、一気に加熱するオン／オフ二位置方式ではなく、段階的に加熱力を上昇させるパルス変調方式（ＰＷＭ）が好ましい。これにより、庫内の急激な部分的過加湿や水滴の発生を防止することができる。
また、各乾湿ユニットのヒータ３４は、他のユニットのヒータ３４とは独立した発熱制御が可能に構成されている。即ち、庫内湿度目標値までの湿度差に応じて除湿または加湿の性能を調節できるようになされている。
【００２４】
図３に示すように、外側ケース２０内であって内側ケース２１の両側には、前記シャッタ２２ａ、２２ｂ、２２ｃ、２２ｄの開閉機構３６ａ、３６ｂが設けられている。尚、図５は開閉機構３６ａの側面を示している。
開閉機構３６ａ（第１のシャッタ駆動手段）は、庫内側のシャッタ２２ａ、２２ｂの開閉を行う駆動機構であり、開閉機構３６ｂ（第２のシャッタ駆動手段）は、庫外側のシャッタ２２ｃ、２２ｄの開閉を行う駆動機構である。
【００２５】
ここで開閉機構３６ａを例に、その構造を説明すると、シャッタ２２ａ、２２ｂは、夫々その一辺が回転軸３７（回動機構）により回動自在に支持されている。回転軸３７には、その軸内にＬ字型の駆動アーム３８の一端部が嵌合され、その他端部がシャッタ２２ａ、２２ｂとは反対方向に延設されている。
【００２６】
前記延設された側の駆動アーム３８の略中央には、棒状のフック３９が上下方向に取り付けられている。上側と下側に夫々設けられたこれら２本のフック３９は、内側ケース２１側面に固設された板部材４０の上下両端に形成されたフランジ４０ａに対し、上下動自在に貫通状態となされている。
また、開閉機構３６ａの上側、下側に夫々設けられたフック３９において、駆動アーム３８とフランジ４０ａとの間には、バランスバネ４１が設けられている。そして、上下両側のフック３９の先端は、形状記憶合金コイル４２によって相互に接続されている。
尚、駆動アーム３８の先端には、荷重バランスをとるために、重り４３が設けられている。
【００２７】
したがって、図５に示すように形状記憶合金コイル４２が短い（縮んだ）状態のときには、シャッタ２２ａ、２２ｂが開いた状態となり、形状記憶合金コイル４２が長い（伸びた）状態のときには、シャッタ２２ａ、２２ｂが閉じた状態となる。
【００２８】
また、形状記憶合金コイル４２の周囲には加熱筒４４が設けられ、加熱駆動部４５によって加熱筒４４が発熱し、形状記憶合金コイル４２を加熱するよう構成されている。
即ち、形状記憶合金コイル４２が加熱されると、コイルが縮んだ状態となってシャッタ２２ａ、２２ｂが開き、形状記憶合金コイル４２の温度が下がると、コイルがバランスバネ４１の反発力によって伸び、シャッタ２２ａ、２２ｂが閉じるようになされている。
【００２９】
続いて、以上のように構成された自動湿度調節保管庫１００における湿度調節動作の流れを図６の制御ブロック図並びに図７、図８のフロー図に基づいて説明する。
最初に、図７のフローに基づき、庫内湿度の均一化処理について説明する。
電源オン時、或いは、稼働中に扉を開き（接触センサ１２により検知）、物品の出し入れ作業等を行った後において、保管庫１００の初期動作として、庫内湿度を早急に正常値に戻すため、全てのシャッタ２２ａ、２２ｂ、２２ｃ、２２ｄが閉じられる（図７のステップＳ１）。
その状態において、庫内上下部に夫々設けられた湿度センサ７、８により庫内の湿度が測定されると（図７のステップＳ２）、それら庫内上下部における湿度の差分が抽出される（図７のステップＳ３）。
【００３０】
次いで、前記差分が、予め設定されている所定値（設定値）と比較され（図７のステップＳ４）、差分値が設定値より大きければ（図７のステップＳ５）、ファン駆動部４７によりファンユニット４６のファンが回転駆動される（図７のステップＳ６）。即ち、庫内上下部における湿度の差が大きい場合に、ファンが回転駆動される。
これにより庫内において上方から下方に向かう空気の流れが形成され庫内で循環され、庫内上部から下部にかけて湿度が略均一となされる。
【００３１】
このように庫内の湿度が略均一になされた後、庫内の湿度を所定の湿度とする制御が行われる。この処理について図８のフローに基づいて説明する。
先ず、庫内の湿度の目標値が設定され（図８のステップＳＴ１）、この目標値が予め決められた所定値よりも小さいか否か判断される（図８のステップＳＴ２）。
【００３２】
目標値が所定値よりも小さい場合、除湿動作に設定され、庫内のセンサとして下部にある湿度センサ８が選択される（図８のステップＳＴ３）。
或いは、ステップＳＴ２において目標値が所定値よりも大きい場合、加湿動作に設定され、庫内のセンサとして上部にある湿度センサ７が選択される（図８のステップＳＴ４）。
即ち、庫内の湿度は上部で低く、下部で高くなる傾向があるため、より所定値との差が大きく検出されるセンサとして、除湿動作の場合は下部のセンサ、加湿動作の場合は上部のセンサが選択される。
【００３３】
次いで、庫外にある湿度センサ９により検出された外気湿度と、庫内の湿度目標値との差分（差分ｄとする）が抽出される（図８のステップＳＴ５）。
そして、抽出された差分ｄが所定値内であれば（図８のステップＳＴ６）、動作オフ状態となる（図８のステップＳＴ７）。
一方、差分ｄが所定値より大きければ（図８のステップＳＴ６）、差分ｄの大きさに基づき、乾湿ユニット３０ａ、３０ｂ、３０ｃ、３０ｄのうち、使用するユニットが決定される（図８のステップＳＴ８）。
一例を挙げると、先ず、差分ｄが±３％ｒｈであれば、調節動作を停止或いは、庫内側と庫外側のシャッタを同時に開き、外気が庫内に導入される。差分ｄが±３〜７％ｒｈであれば１つの乾湿ユニットが用いられ、差分ｄが±７〜１５％ｒｈであれば２個の乾湿ユニットが用いられる。或いは、差分ｄが±１５〜２５％ｒｈであれば３個の乾湿ユニットが用いられ、差分ｄがア２５％ｒｈ以上であれば４個の乾湿ユニットが用いられる。
【００３４】
そして、コントローラ６は、加熱駆動部４５を制御して加熱筒４４を発熱させ、加湿時は庫外側のシャッタ２２ｃ、２２ｄが開かれ、除湿時は庫内側のシャッタ２２ａ、２２ｂが開かれる（図８のステップＳＴ９）。
これにより、加湿時には、庫外の空気に含まれる水分が乾燥剤に吸収（吸湿）され、除湿時には、庫内の空気に含まれる水分が乾燥剤に吸収（吸湿）される。
【００３５】
加湿時の場合、乾燥剤３３による所定時間の吸収が終わると、庫外側のシャッタ２２ｃ、２２ｄが閉じられた後、庫内側のシャッタ２２ａ、２２ｂが開かれる。そして、コントローラ６は、ヒータ駆動部３５により乾湿ユニット内のヒータ３４を発熱させ、乾燥剤３３を加熱する。これにより、乾燥剤３３から水分が蒸発（放湿）し、庫内の湿度が上昇する。
このように庫内湿度の制御がなされるが（図８のステップＳＴ１０）、庫内の上部にある湿度センサ７によって検出される湿度が目標値に達すると（図８のステップＳＴ１１）、シャッタ２２ａ、２２ｂを閉じる制御を行う（図８のステップＳＴ１２）。
【００３６】
一方、除湿時の場合、庫内の下部にある湿度センサ８により検出される湿度が目標値に達すると（図８のステップＳＴ１１）、コントローラ６は庫内側のシャッタ２２ａ、２２ｂを閉じ、その後、庫外側のシャッタ２２ｃ、２２ｄを開く制御を行う。
そして、シャッタ２２ａ、２２ｂが閉じられると、コントローラ６は、ヒータ駆動部３５により乾湿ユニット内のヒータ３４を発熱させ、乾燥剤３３を加熱する。これにより、乾燥剤３３から水分が蒸発（放湿）し、蒸発した水分は庫外に放出される。また、これにより乾燥剤３３が再生され、その後、庫外側のシャッタ２２ｃ、２２ｄが閉じられる（図８のステップＳＴ１２）。
【００３７】
以上のように、本発明に係る実施の形態によれば、庫内側のシャッタ２２ａ、２２ｂと庫外側のシャッタ２２ｃ、２２ｄとが夫々独立した回動機構を有し、庫内側のシャッタの開閉機構３６ａと庫外側のシャッタの開閉機構３６ｂとが別個に設けられる。
これにより、例えば、庫外側のシャッタを開状態から閉状態にした後、庫内側のシャッタを閉状態から開状態にすることが可能となる（その逆も可能となる）。
したがって、除湿或いは加湿の開始及び停止時において、シャッタ開閉の動作速度に拘わらず、庫内の空気は外気湿度の影響を受けることがない。これにより、湿度に対する応答が遅い乾燥剤を用いても、庫内の湿度を常に所望の湿度に安定させることができ、大型の保管庫であっても精度良い庫内湿度調節を行うことができる。
また、乾燥剤３３を用いて精度よい安定した庫内湿度調整を行うことができるため、例えばペルチェ素子を通電して除湿するといった方法よりも長寿命とし、且つコストを低減することができる。
また、前記実施の形態においては、シャッタの開閉機構に応答速度が遅い形状記憶合金コイル４２を用いたが、前記実施の形態に示したシャッタの開閉構造であれば、十分に安定した庫内湿度調整を行うことができる。
【００３８】
尚、前記実施の形態においては、前記のようにシャッタの開閉機構として、形状記憶合金コイル４２を加熱することにより開閉駆動する構成を例に示したが、本発明に係る自動湿度調節保管庫においては、その構成に限定されるものではない。
例えば、前記実施の形態で示した開閉機構３６ａ、３６ｂに替えて、ソレノイドやモータ等の動作の速い駆動素子をシャッタの開閉駆動源としてもよい。
図９に、ソレノイドをシャッタの開閉駆動源とする開閉機構５０を示す。尚、図９において、前記実施の形態と同じ部材に対しては同じ符号で示し、その詳細な説明は省略する。
【００３９】
図９に示す開閉機構５０は、庫内側シャッタ２２ａ、２２ｂ、並びに庫外側シャッタ２２ｃ、２２ｄを開閉駆動する構成を有している。
詳細には、各シャッタは、夫々独立した回転軸５１ａ、５１ｂ、５１ｃ、５１ｄ（回動機構）により開閉自在に設けられ、湿度操作器１１上部における回転軸５１ａ、５１ｃはギア５２ａが夫々に係合している。したがって、ギア５２ａが所定方向に回転することにより、回転軸５１ａ、５１ｃが回転し、シャッタ２２ａ、２２ｃが夫々閉じる動作或いは開く動作を行うようになされている。
【００４０】
一方、湿度操作器１１下部における回転軸５１ｂ、５１ｄはギア５２ｂが夫々に係合している。したがって、ギア５２ｂが所定方向に回転することにより、回転軸５１ｂ、５１ｄが回転し、シャッタ２２ｂ、２２ｄが夫々閉じる動作或いは開く動作を行うようになされている。
ギア５２ａとギア５２ｂとの間には、複数の支柱となる滑車５３が設けられ、それら滑車５３には、ワイヤ５４が張架されている。このワイヤ５４の一端側は、ギア５２ａに掛架され、その先端部はスプリング５５を介して係止されている。また、ワイヤ５４の他端側は、ギア５２ｂに掛架され、その先端部はスプリング５６を介して係止されている。
また、この開閉機構５０は、アクチュエータとしてソレノイド５７を有し、このソレノイド５７が駆動することによりワイヤ５４を上下方向に移動させる構成となされている。
【００４１】
即ち、この構成において、ソレノイド５７の駆動によりワイヤ５４が上方に移動すると、ギア５２ａは時計回りに回転し、回転軸５１ａ、５１ｃは反時計回りに回転する。また、ギア５２ｂは反時計回りに回転し、回転軸５１ｂ、５１ｄは時計回りに回転する。これにより庫内側のシャッタ２２ａ、２２ｂは開く方向に回動し、庫外側のシャッタ２２ｃ、２２ｄは閉じる方向に回動する。
【００４２】
反対に、ソレノイド５７の駆動によりワイヤ５４が下方に移動すると、ギア５２ａは反時計回りに回転し、回転軸５１ａ、５１ｃは時計回りに回転する。また、ギア５２ｂは時計回りに回転し、回転軸５１ｂ、５１ｄは反時計回りに回転する。これにより庫内側のシャッタ２２ａ、２２ｂは閉じる方向に回動し、庫外側のシャッタ２２ｃ、２２ｄは開く方向に回動する。
【００４３】
このように開閉機構５０によれば、シャッタを開閉駆動するためのアクチュエータ（駆動素子）としてソレノイド５７を用いているため、シャッタの開閉動作を速やかに行うことができ、外気湿度の悪影響を受けにくく、大型の保管庫にも適用することができる。
【産業上の利用可能性】
【００４４】
本発明は、庫内の湿度を自動的に調節する湿度調節保管庫の製造業等で好適に使用される。
【図面の簡単な説明】
【００４５】
【図１】図１は、本発明に係る自動湿度調節保管庫の正面図である。
【図２】図２は、図１の自動湿度調節保管庫の側面図である。
【図３】図３は、図１の自動湿度保管庫が備える湿度操作器の縦断正面図（一部破断図）である。
【図４】図４は、図３のＡ−Ａ断面矢視図である。
【図５】図５は、図３のＢ−Ｂ断面矢視図である。
【図６】図６は、図１の自動湿度調節保管庫における制御ブロック図である。
【図７】図７は、図１の自動湿度調節保管庫における湿度調節動作の流れを示すフロー図である。
【図８】図８は、図１の自動湿度調節保管庫における湿度調節動作の流れを示すフロー図である。
【図９】図９は、湿度操作器が有する開閉機構の他の実施形態を示す図である。
【図１０】図１０は、従来の保管装置の概略構成を示す断面図である。
【符号の説明】
【００４６】
１        筐体（収容庫）
２        扉
３        棚
５        天板
６        コントローラ（制御手段）
７        湿度センサ
８        湿度センサ
９        湿度センサ
１０      設定表示パネル
１１      湿度操作器
１２      接触センサ
２０      外側ケース
２１      内側ケース（乾燥剤格納室）
２１ａ    開口（第１の開口部）
２１ｂ    開口（第１の開口部）
２１ｃ    開口（第２の開口部）
２１ｄ    開口（第２の開口部）
２２ａ    シャッタ（第１のシャッタ）
２２ｂ    シャッタ（第１のシャッタ）
２２ｃ    シャッタ（第２のシャッタ）
２２ｄ    シャッタ（第２のシャッタ）
３０ａ    乾湿ユニット
３０ｂ    乾湿ユニット
３０ｃ    乾湿ユニット
３０ｄ    乾湿ユニット
３３      乾燥剤
３４      ヒータ
３６ａ    開閉機構（第１のシャッタ駆動手段）
３６ｂ    開閉機構（第２のシャッタ駆動手段）
【図１】
2009068807.tif 000003
【図２】
2009068807.tif 000004
【図３】
2009068807.tif 000005
【図４】
2009068807.tif 000006
【図５】
2009068807.tif 000007
【図６】
2009068807.tif 000008
【図７】
2009068807.tif 000009
【図８】
2009068807.tif 000010
【図９】
2009068807.tif 000011
【図１０】
2009068807.tif 000012